(57)【要約】【課題】  錆による低放射膜の性能劣化及び、接触による低放射膜の剥離を防ぎ、夏期においては、日射の室内への入射を遮断し、かつ日射熱の室内への放射を抑制する一方で、冬期においては、日射熱の取り込みを可能とする開口部構造を提供する。【解決手段】空気層側に低放射性膜２を施した室内側ガラス３aと、15mm以下の間隔を以て隔置される室外側ガラス３bと、対向面周縁部に一体化するように配した乾燥剤入りスペーサ４と、それらを密封する接着剤５と、その内部空間において、スペーサ４に一体化するように、内部空間に内向させて配した枠材６で、その左右端上下方向においてガラス表面からそれぞれ2.5mm以上のクリアランスを設けるよう突出、付加させた凹溝７を備えた枠材６と、その内部空間に内蔵したヴェネチアンブラインド８で、その下部に位置するボトムレール９に支持棒１０を内蔵させたヴェネチアンブラインド８と、を具備する。【選択図】        図１
2006090053.tif 000002
【特許請求の範囲】
【請求項１】
空気層側に低放射性膜を施した室内側ガラスと、
前記室内側ガラスと隔置した室外側ガラスと、
前記一対のガラス板が15mm以下の間隔を以て隔置されるよう、前記一対のガラス板の対向面周縁部に介設、一体化するように配した乾燥剤入りスペーサと、
前記ガラスと前記スペーサとを密封、固定する接着剤と、
前記一対のガラス及びスペーサから成る幅15mm以下の内部空間において、前記スペーサ左右端上下方向及び上下端左右方向に介設、一体化するように、前記内部空間に内向させて配した、板材を成形して構成した枠材であって、前記枠材左右端上下方向においては前記一対のガラス空気層面からそれぞれ2.5mm以上のクリアランスを設けるよう突出して付加させた凹溝を備えた枠材と、
前記枠材における凹溝及び前記凹溝突出材面に渡って在する内部空間に内蔵したヴェネチアンブラインドであって、前記ヴェネチアンブラインド下部に位置するボトムレールに支持棒を内蔵させたヴェネチアンブラインドと、
を具備することを特徴とする、開口部構造。
【請求項２】
空気層側に低放射性膜を施した室内側ガラスと、
前記室内側ガラスと隔置した室外側ガラスと、
前記一対のガラス板が15mm以下の間隔を以て隔置されるよう、前記一対のガラス板の対向面周縁部に介設、一体化するように配した乾燥剤入りスペーサと、
前記ガラスと前記スペーサとを密封、固定する接着剤と、
前記一対のガラス及びスペーサから成る幅15mm以下の内部空間において、前記スペーサ左右端上下方向及び上下端左右方向に介設、一体化するように、前記内部空間に内向させて配した、板材を成形して構成した枠材であって、少なくとも前記枠材左右端上下方向においては前記一対のガラス空気層面からそれぞれ2.5mm以上のクリアランスを設ける位置に凹溝を備えた枠材と、
前記枠材における前記凹溝及び前記凹溝面に渡って在する内部空間に内蔵したヴェネチアンブラインドであって、前記ヴェネチアンブラインド下部に位置するボトムレールに支持棒を内蔵させたヴェネチアンブラインドと、
を具備することを特徴とする、開口部構造。
【請求項３】
空気層側に低放射性膜を施した室内側ガラスと、
前記室内側ガラスと隔置した室外側ガラスと、
前記一対のガラス板が15mm以下の間隔を以て隔置されるよう、前記一対のガラス板の対向面周縁部に介設、一体化するように配した乾燥剤入りスペーサと、
前記ガラスと前記スペーサとを密封、固定する接着剤と、
前記一対のガラス及びスペーサから成る幅15mm以下の内部空間において、前記ガラス空気層面に介設、一体化するように配した、前記スペーサ右端より左端に傾斜上りにした複数本の傾斜材と前記スペーサ左端より右端に傾斜上りにした複数本の、他の傾斜材を互いに見込み方向に重なり合う交差部と両端部を互いに係合させて組付けて構成した格子枠と、
前記一対の格子枠間に在する内部空間に内蔵したヴェネチアンブラインドであって、前記ヴェネチアンブラインド下部に位置するボトムレールに支持棒を内蔵させたヴェネチアンブラインドと、を具備することを特徴とする、住宅開口部構造。
【発明の詳細な説明】
【技術分野】
【０００１】
本発明は、ブラインドを内蔵した複層ガラスを用いた開口部構造に関するものである。
【背景技術】
【０００２】
複層ガラスは、優れた断熱および遮音の効果を奏するため、近年、一般住宅、事務所、学校等において、その使用が増加している。
【０００３】
複層ガラス内に、夏期の日射遮蔽を目的に、巻き上げ式のブラインドを内蔵させたものもあるが、ブラインドによって吸収された日射熱は対流と放射により室内側ガラスに伝熱されるという問題が生じる。
【０００４】
そこで、下記特許文献１に示されるような、ブラインドを内蔵する多重窓において最も室内側に位置するガラスの室内側表面に低放射性膜を施す構造がある。
【０００５】
この構造によると、すなわち、室内側ガラス室内側表面に低放射性膜を施したブラインド内蔵多重窓によると、たとえ室内側ガラスが熱を持ったとしても、室内空間への放射による伝熱を軽減する効果が得られる。
【０００６】
また、産業分野でのスパッタリング技術の進展により、下記特許文献２に示されるような、内蔵するブラインド自体に低放射性膜を施す構造がある。
【０００７】
一方、現在、市場で最も流通しているガラスは、ガラスの空気層側に低放射性膜を施したLow-eガラスであり、2枚のガラスで挟まれたスペーサを介する内部空間には、結露を防止するために、乾燥剤が設けられ、低放射性膜の酸化を防いでいる。なかでも主流は、遮蔽型Low-eガラスと称され、室外側ガラスの空気層側に低放射性膜を施し、夏期の日射遮蔽及び冬期の断熱性を兼ね備えたものである。
【特許文献１】特開昭63-176584号公報
【特許文献２】実開平6-87597号公報
【発明の開示】
【発明が解決しようとする課題】
【０００８】
しかし、特許文献１に示される構造では、低放射膜が銀を主成分とする為、室内の水蒸気に暴露されることで、錆による性能劣化を引き起こし、その優れた機能が持続されないという不都合がみられる。また、後付フィルムなどを使用した場合、加工手間を増やすことになり高い施工精度が求められる。
【０００９】
また、特許文献２に示される構造では、ブラインド昇降の際に、ブラインド相互またはガラスとの接触により、ブラインドに施した低放射性膜が剥離してしまうという不都合が生じる場合がある。同時に、ブラインド巻上げ時には低放射性膜処理のものより断熱性能が劣る通常の複層ガラスとなるという問題が生じる。
【００１０】
一方、遮蔽型Low-eガラスは、ガラス自体に大きな日射遮蔽性能を期待するあまり、冬期の日射熱取得性能が大幅に制限される。そのため、夏期の空調効率の向上による省エネルギー効果は高い一方で、自然熱源利用度が極端に低く、冬期、室内にて日中窓から日が射す場においてさえも、寒いといった問題を引き起こすものである。
【００１１】
そこで本発明は、上記問題点に鑑みて、錆による低放射膜の性能劣化及び、接触による低放射膜の剥離を防ぎ、夏期においては、日射の室内への入射を遮断し、かつ日射熱の室内への放射を抑制する一方で、冬期においては、日射熱の取り込みを可能とする開口部構造を提供することを目的とする。
【課題を解決するための手段】
【００１２】
次に、上記の課題を解決するための手段を、実施の形態に対応する図面を参照して説明する。
【００１３】
この発明の請求項１記載の開口部構造１は、空気層側に低放射性膜２を施した室内側ガラス３aと、前記室内側ガラス３aと隔置した室外側ガラス３bと、前記一対のガラス板３が15mm以下の間隔を以て隔置されるよう、前記一対のガラス板３の対向面周縁部に介設、一体化するように配した乾燥剤入りスペーサ４と、前記ガラス３と前記スペーサ４とを密封、固定する接着剤５と、前記一対のガラス３及びスペーサ４から成る幅15mm以下の内部空間において、前記スペーサ４左右端上下方向及び上下端左右方向に介設、一体化するように、前記内部空間に内向させて配した、板材６’を成形して構成した枠材６であって、少なくとも前記枠材６の左右端上下方向においては前記一対のガラス３の空気層面からそれぞれ2.5mm以上のクリアランスを設けるよう突出して付加させた凹溝７を備えた枠材６と、前記枠材６における凹溝７及び前記凹溝６突出材面に渡って在する内部空間に内蔵したヴェネチアンブラインド８であって、前記ヴェネチアンブラインド８下部に位置するボトムレール９に支持棒１０を内蔵させたヴェネチアンブラインド８と、を具備することを特徴とする。
【００１４】
この開口部構造によれば、一対のガラス３がスペーサ４を介して接着剤５にて密封、固定される。この密封空間内において、スペーサ４に介設して、枠材６が固定される。さらに内側には、ヴェネチアンブラインド８が固定されるが、ボトムレール９内の支持棒１０は枠材６に付加された凹溝７に沿って動作する。このような構造により、ボトムレール９及びスラット１１とガラス３との間には2.5mmのクリアランスが形成される。
【００１５】
請求項２記載の開口部構造１は、空気層側に低放射性膜２を施した室内側ガラス３aと、前記室内側ガラス３aと隔置した室外側ガラス３bと、前記一対のガラス板３が15mm以下の間隔を以て隔置されるよう、前記一対のガラス板３の対向面周縁部に介設、一体化するように配した乾燥剤入りスペーサ４と、前記ガラス３と前記スペーサ４とを密封、固定する接着剤５と、前記一対のガラス３及びスペーサ４から成る幅15mm以下の内部空間において、前記スペーサ４の左右端上下方向及び上下端左右方向に介設、一体化するように、前記内部空間に内向させて配した、板材６’を成形して構成した枠材６であって、少なくとも前記枠材６の左右端上下方向において前記一対のガラス３の空気層面からそれぞれ2.5mm以上のクリアランスを設ける位置に凹溝７を備えた枠材６と、前記枠材６における凹溝７及び前記凹溝６面に渡って在する内部空間に内蔵したヴェネチアンブラインド８であって、前記ヴェネチアンブラインド８下部に位置するボトムレール９に支持棒１０を内蔵させたヴェネチアンブラインド８と、を具備することを特徴とする。
【００１６】
この開口部構造によれば、一対のガラス３がスペーサ４を介して接着剤５にて密封、固定される。この密封空間内において、スペーサ４に介設して、枠材６が固定される。さらに内側には、ヴェネチアンブラインド８が固定されるが、ボトムレール９内の支持棒１０は凹溝７に沿って動作する。このような構造により、ボトムレール９及びスラット１１とガラス３との間には2.5mmのクリアランスが形成される。
【００１７】
請求項３記載の開口部構造１は、空気層側に低放射性膜２を施した室内側ガラス３aと、前記室内側ガラス３aと隔置した室外側ガラス３bと、前記一対のガラス板３が15mm以下の間隔を以て隔置されるよう、前記一対のガラス板３の対向面周縁部に介設、一体化するように配した乾燥剤入りスペーサ４と、前記ガラス３と前記スペーサ４とを密封、固定する接着剤５と、前記一対のガラス３及びスペーサ４から成る幅15mm以下の内部空間において、前記ガラス３の空気層面に介設、一体化するように配した、前記スペーサ４右端より左端に傾斜上りにした複数本の傾斜材１２aと前記スペーサ４の左端より右端に傾斜上りにした複数本の、他の傾斜材１２bを互いに見込み方向に重なり合う交差部１３と両端部１４を互いに係合させて組付けて構成した格子枠１５と、前記一対の格子枠１５間に在する内部空間に内蔵したヴェネチアンブラインド８であって、前記ヴェネチアンブラインド８下部に位置するボトムレール９に支持棒１０を内蔵させたヴェネチアンブラインド８と、を具備することを特徴とする。
【００１８】
この開口部構造によれば、一対のガラス３がスペーサ４を介して接着剤５にて密封、固定される。この密封空間内において、スペーサ４に介設して、格子枠１５が固定される。さらに内側には、ヴェネチアンブラインド８が固定されるが、ボトムレール９内の支持棒１０は格子枠１５の両端部１５a、１５bに沿って動作する。
【発明の効果】
【００１９】
以上説明したように本発明による開口部構造では、乾燥剤入りのスペーサを介してガラスを二枚隔置し、その内部空間に枠材を介設し、枠材に付加させて備えた凹溝にブラインドを内蔵させて構成しており、一対のガラス間隔を15mm以下としたことにより、既存サッシへの適応が可能となり、納まりが良く、見栄えが良いだけでなく、内部空間における空気は、自身の粘性のため流動せず、このため空気層の熱性能が維持されるという効果がある。また、スペーサ内に封入された乾燥剤によって、本発明による開口部内部空間の乾燥が保たれ、錆の発生を防ぎ、ひいては低放射膜の性能劣化を防ぐことができる。更には、凹溝によってブラインドの揺れが、内部空間において凹溝幅に保たれることによって、ブラインドと室内側ガラスの接触が回避され、また室内側ガラス及び室外側ガラスとボトムレール及びスラットの間に2.5mm以上の間隔を保つことでガラスのたわみによる接触も回避、室内側ガラスに施された低放射性膜の剥離を防ぐことができる。この結果、夏期においては日射の室内への入射を内蔵ブラインドで遮断し、かつ内蔵ブラインドの吸収した日射熱の室内への放射を室内側ガラスの低放射膜で抑制することで高い日射遮蔽性能を実現し、冬期においては内蔵ブラインドを巻上げ、低放射膜が室内側ガラスにあることで断熱性能の向上とともに熱の取り込みが可能であるため、省エネルギーにきわめて有効である。
【００２０】
すなわち、この開口部構造によれば、冬期のブラインド巻上げ状態となる基本仕様においても、室内側ガラスに施された低放射性膜によって比較的高い日射熱取得率を維持できる。また、室内側ガラスに施された低放射性膜によって、ガラス間の放射による熱伝達を抑制するという作用には、現在主流となっている遮蔽型Low-eガラスと変わりが無いため、遮蔽型Low-eガラスと同等の断熱性能を保持することが可能となる。また、夏期のブラインドと室内側ガラスの放射伝熱を大幅に軽減することにより、夏期の室内側ガラスの温度上昇を抑制、日射遮蔽性能を向上させ、乾燥剤を封入している乾燥空気層側に低放射性膜を施すことにより、錆による性能劣化が低減される。更には、内蔵ブラインドの揺れによる室内側ガラスへの接触を避けるためにサッシ枠とガラスの突合せ部分に設けたブラインドガイドレールにより、夏期の日射遮蔽性能、冬期の断熱性能・日射熱取得性能と、開口部の省エネルギー性を評価する全てのパラメータで、長く高い性能を実現することが可能となる。
【００２１】
加えて、ブラインドとガラスの間に2.5mmのクリアランスを設けるように凹溝及びブラインドを介設したことによって、冬期低温期においてガラスのたわみが発生した場合でも、ガラスとブラインドの接触が回避され、室内側に施された低放射性膜の剥離を防ぐことができるとともに、ブラインドの動作に影響を与えることなく、前記性能を発揮することが可能となる。
【００２２】
なお、枠材を、複数本の傾斜材を組付けて構成した格子枠とすることによって、冬期低温期においてガラスのたわみが発生した際に、ガラス内部空間側からガラスのたわみを抑制する構造とすることが可能となり、格子枠間に内蔵されるブラインドの動作に影響を与えることがなくなるのみならず、意匠性を付加することも可能となる。また、防犯上も有効である。
【発明を実施するための最良の形態】
【００２３】
以下、本発明の実施の形態として第１実施例を図１〜図５に基づいて説明する。図１は本発明による開口部構造の実施の形態を示す分解斜視図、図２は同開口部構造の正面図、図３は図２におけるA-A線断面図、図４は図２におけるB-B線断面図、図５は図２における一部切開斜視図である。
【００２４】
本発明の開口部構造１は、室内側ガラスと、室外側ガラスと、スペーサと、接着剤と、枠材と、ヴェネチアンブラインドととで大略構成されている。
【００２５】
室内側ガラス３aには、低放射性膜２が施され、所定厚さで所定の縦横長さの矩形状に形成されている。室外側ガラス３bは、室内側ガラス３aと同様の所定厚さで所定の縦横長さの矩形状に形成されている。
【００２６】
スペーサ４は、アルミや樹脂といった成形容易な材料よりなり、所定厚さに中空状に成形したもので、その内部には、乾燥剤が封入され、上下方向に長尺でガラス３の縦長さと略同等の長さとされ、所定の幅長で形成されるもの２本、及び左右方向に長尺でガラス３の横長さと略同等の長さとされるもの２本を上下左右に組付けて構成されている。このスペーサ４は、室内側ガラス３aにおける低放射性膜２の面内外周部に配置され、さらに、室外側ガラス３bによって挟み込むように配置される。そして、スペーサ４は、一対のガラス３の対向面に密着した状態で、接着剤５を用いて固定される。このような構造によると、ガラス３及びスペーサ４からなる内部空間は乾燥状態に保たれる。
【００２７】
枠材６は、アルミや樹脂といった成形容易な材料よりなり、所定厚さとされるとともに、所定の幅長で凹状に成形したもので、上下方向に長尺でスペーサ４によって構成される枠内縦長さと略同等の長さとされるもの２本、及び左右方向に長尺で枠内横長さと略同等の長さとされるもの２本を、それぞれ凹部が内向するよう上下左右に組付けて設置される。枠材６の少なくとも左右端の凹部には、枠材６と略同素材の材料からなり、所定厚さとされるとともに、所定の幅長で凹状に成形したもので、上下方向に長尺で、枠材６の縦長さと略同等の長さとされる凹溝７を、それぞれ凹部が内向するよう備えるものとする。
【００２８】
ヴェネチアンブラインド８は、ヘッドボックス１６、上下方向で平行に配置された多数のスラット１１、ボトムレール９及びこれらを上下方向に結合したラダーテープ１７で構成され、これらが、ガラス３、スペーサ４及び枠材６によって構成される内部空間に内蔵される。ボトムレール９には、支持棒１０が内蔵される。
【００２９】
したがって、ボトムレール９の左右端は常に凹溝７に沿って動作することになり、ヴェネチアンブラインド８の振れが抑制される。また、室内側ガラス３a及び室外側ガラス３bとボトムレール９及びスラット１１の間には2.5mm以上のクリアランスが設けられる為、冬期低温時ガラスのたわみが生じた際にも、ブラインド８とガラス３の接触が回避され、室内側ガラス３aに施された低放射性膜２の剥離を防ぐことができる。
【００３０】
このような構造によれば、夏期においては日射の室内への入射を内蔵ブラインドで遮断し、かつ内蔵ブラインドの吸収した日射熱の室内への放射を室内側ガラスの低放射膜で抑制することで高い日射遮蔽性能を実現し、冬期においては内蔵ブラインドを巻上げ、低放射膜が室内側ガラスにあることで断熱性能の向上とともに熱の取り込みが可能となり、省エネルギーにきわめて有効である。
【図面の簡単な説明】
【００３１】
【図１】本発明における開口部構造の一実施の形態を示した分解斜視図である。
【図２】同実施の形態における正面図である。
【図３】図２におけるA-A線断面図である。
【図４】図２におけるB-B線断面図である。
【図５】図２における一部切開斜視図である。
【図６】本発明第二の実施の形態における水平断面図である。
【図７】本発明第三の実施の形態における正面図である。
【図８】本発明第三の実施の形態における一部斜視図である。
【符号の説明】
【００３２】
１    開口部構造
２    低放射性膜
３    複層ガラス
３a   室内側ガラス
３b   室外側ガラス
４    スペーサ
５    接着剤
６    枠材
７    凹溝
８    ヴェネチアンブラインド
９    ボトムレール
１０    支持棒
１１    スラット
１２a、１２b    傾斜材
１３    傾斜材交差部
１４    傾斜材端部
１５    格子枠
１６    ヘッドボックス
１７    ラダーテープ
【図１】
2006090053.tif 000003
【図２】
2006090053.tif 000004
【図３】
2006090053.tif 000005
【図４】
2006090053.tif 000006
【図５】
2006090053.tif 000007
【図６】
2006090053.tif 000008
【図７】
2006090053.tif 000009
【図８】
2006090053.tif 000010